(57)【要約】      （修正有）【課題】検煙部への埃等の侵入をより抑制すること及び検煙部への煙の流入性を向上させること、を両立できる煙検出装置を提供する。【解決手段】煙流入部を有する筐体と、煙流入部から筐体内に流入した煙を通過させる複数の開口孔部Ｏｐを有し、筐体に設けられている網部３２と、網部の内側に設けられ、網部を通過した煙を検出する検煙部と、を備える。開口孔部は、煙流入部側と検煙部側とを連通する開口Ｐｔを囲む環状の縁部Ｅｄを有する。開口孔部の縁部は、網部の表面に沿って形成されている凸状部３２Ｃ１と、凸状部の端部に位置し、網部の表面に沿って形成されている凹状部３２Ｃ２とを有している。【選択図】図３
2019040296.tif 000002
【特許請求の範囲】
【請求項１】
煙流入部を有する筐体と、
前記煙流入部から前記筐体内に流入した煙を通過させる複数の開口孔部を有し、前記筐体に設けられている網部と、
前記網部の内側に設けられ、前記網部を通過した煙を検出する検煙部と、
を備え、
前記開口孔部は、前記煙流入部側と前記検煙部側とを連通する開口を囲む環状の縁部を有し、
前記開口孔部の前記縁部は、前記網部の表面に沿って形成されている凸状部と、前記凸状部の端部に位置し、前記網部の表面に沿って形成されている凹状部とを有している
ことを特徴とする煙検出装置。
【請求項２】
前記開口孔部の前記縁部は、複数の前記凸状部と、複数の前記凹状部とを有し、
前記凸状部及び前記凹状部は、前記開口孔部の前記縁部の周方向において交互に並んでおり、且つ、前記開口孔部の前記縁部の全域にわたって並んでいる
ことを特徴とする請求項１に記載の煙検出装置。
【発明の詳細な説明】
【技術分野】
【０００１】
本発明は、煙検出装置に関し、特に、埃等の侵入を抑制する網部を備えている煙検出装置に関する。
【背景技術】
【０００２】
従来の煙検出装置には、発光部等が設けられているラビリンスと、ラビリンスの周囲を取り囲む防虫網が設けられている検煙部カバーと、を備えているものが提案されている（例えば、特許文献１参照）。特許文献１の煙検出装置の防虫網は、検煙部カバーの内側の空間である検煙室に、虫、埃及び湯気等（ここでは、埃等と総称する）が侵入することを抑制している。特許文献１の煙検出装置のように防虫網には、複数の開口孔が形成されている。火災が発生した場合には、煙は防虫網の開口孔を通過して検煙室に流入する。
【先行技術文献】
【特許文献】
【０００３】
【特許文献１】特許第３０１４６００号公報（例えば、段落００２７及び図５，６参照）
【発明の概要】
【発明が解決しようとする課題】
【０００４】
開口孔の形状を例えば円形とした場合において、各開口孔の径を大きく設定して防虫網の開口率を増大させると煙の検煙室への流入性は向上するが、埃等が検煙室へ侵入しやすくなってしまう。逆に、各開口孔の径を小さく設定して防虫網の開口率を低減させると埃等が検煙室へ侵入することをより抑制できるが、煙の検煙室への流入性が低下してしまい、火災を迅速に検出できなくなる可能性がある。つまり、従来の煙検出装置の防虫網は、埃等の侵入をより抑制すること、及び、煙の流入性を向上させること、を両立させにくいという課題がある。
【０００５】
本発明は、上記のような課題を解決するためになされたものであり、検煙部への埃等の侵入をより抑制すること、及び、検煙部への煙の流入性を向上させること、を両立させることができる煙検出装置を提供することを目的としている。
【課題を解決するための手段】
【０００６】
本発明に係る煙検出装置は、煙流入部を有する筐体と、煙流入部から筐体内に流入した煙を通過させる複数の開口孔部を有し、筐体に設けられている網部と、網部の内側に設けられ、網部を通過した煙を検出する検煙部と、を備え、開口孔部は、煙流入部側と検煙部側とを連通する開口を囲む環状の縁部を有し、開口孔部の縁部は、網部の表面に沿って形成されている凸状部と、凸状部の端部に位置し、網部の表面に沿って形成されている凹状部とを有している。
【０００７】
本発明に係る煙検出装置は、開口孔部の縁部は、複数の凸状部と、複数の凹状部とを有し、凸状部及び凹状部は、開口孔部の縁部の周方向において交互に並んでおり、且つ、開口孔部の縁部の全域にわたって並んでいる。
【発明の効果】
【０００８】
本発明に係る煙検出装置によれば、上記構成を備えているので、検煙部への埃等の侵入をより抑制すること、及び、検煙部への煙の流入性を向上させること、を両立させることができる。
【図面の簡単な説明】
【０００９】
【図１】実施の形態に係る煙検出装置の全体図である。
【図２】煙検出装置の検煙部及び煙検出装置の光学台カバーの斜視図である。
【図３】煙検出装置の網部の説明図である。
【図４】網部の開口孔部に渦が形成される様子を模式的に示した図である。
【図５】網部の開口群の変形例の説明図である。
【発明を実施するための形態】
【００１０】
実施の形態．
以下、本発明に係る煙検出装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】
図１は、実施の形態に係る煙検出装置１００の全体図である。図２は、煙検出装置１００の検煙部２０及び煙検出装置１００の光学台カバー３０の斜視図である。煙検出装置１００は、例えば家屋の室内等の監視空間に設置される光電式スポット型煙感知器であって、図１に示すように、例えば天井２００に取り付けられる。
【００１２】
煙検出装置１００は、煙流入部１２Ａを有する筐体１０と、筐体１０に設けられ、煙を検出する機構を有する検煙部２０と、筐体１０内に設けられ、検煙部２０を覆う光学台カバー３０とを備えている。図１に示すように、筐体１０は、図示省略の基板等が収容されている筐体上部１１と、検煙部２０及び光学台カバー３０が収容されている筐体下部１２とを備えている。筐体下部１２には開口部である複数の煙流入部１２Ａを有している。
【００１３】
図２に示すように、検煙部２０は、上述の筐体上部１１の基板に設けられている光学台２１と、光学台２１に設けられ、遮光機能を有しているラビリンス２２と、煙の検出光を発する発光部２３Ａと、発光部２３Ａが収容されている発光部収容部２３と、煙が流入したときに発光部２３Ａの光が散乱する煙検出空間２４とを備えている。また、検煙部２０は、発光部２３Ａの散乱光を受光する図示省略の受光部と、当該受光部を収容する受光部収容部２５とを備えている。光学台２１には、ラビリンス２２、発光部収容部２３及び受光部収容部２５が形成されている。ラビリンス２２は、光学台２１から下側に延びる複数の壁体である。ラビリンス２２は光学台カバー３０外から光学台カバー３０内の煙検出空間２４へ光が入射してしまうことを防止する機能を有している。発光部２３Ａは例えばＬＥＤ（Light Emitting Diode）等で構成され、発光部２３Ａのリード線は上述の筐体上部１１の基板に接続されている。受光部収容部２５には発光部２３Ａから出射された光を絞る開口が形成されている。図示省略の受光部は発光部２３Ａの光軸からずれた位置に設けられている。受光部収容部２５は、光学台カバー３０外の光等によって火災を誤検出しないように受光部を収容している。
【００１４】
図２に示すように、光学台カバー３０は、検煙部２０に被せられる蓋状部３１と、煙検出空間２４に虫、埃及び湯気等（以下、埃等と総称する）が侵入することを抑制する網部３２とを備えている。蓋状部３１は、円形状である平板部３１Ａと、平板部３１Ａの周縁に接続され、平板部３１Ａの周縁から直線状に延びている複数のリブ３１Ｂとを備えている。網部３２はリブ３１Ｂに接触している。また、網部３２は筒状にして使用する金属製の板状部材である。なお、実施の形態において、網部３２は円筒状に構成されている。検煙部２０は網部３２の内側に設けられている。網部３２は煙流入部１２Ａを介して室内等の監視空間に臨んでいる。網部３２の構成は次の図３で詳しく説明する。
【００１５】
図３は、煙検出装置１００の網部３２の説明図である。図３（ａ）は、片部３２Ｂ２を挿入部３２Ｂ１から外した状態の網部３２を示している。図３（ｂ）は、図３（ａ）に示す開口群３２Ｃの拡大図である。図３（ｃ）は、図３（ａ）の矢印ＡＲ方向から網部３２を見た図である。図３（ｄ）は、図３（ｂ）に示す開口群３２Ｃに含まれる開口孔部Ｏｐの拡大図である。図３（ｅ）は、図３（ｄ）に示す開口孔部Ｏｐの要部拡大図である。図３及び上述の図１，図２を参照して、網部３２の構成を説明する。
【００１６】
図３（ａ）に示すように、網部３２は、矩形状の板状部材である網部本体３２Ａと、開口部である挿入部３２Ｂ１と、挿入部３２Ｂ１に挿入される片部３２Ｂ２とを備えている。片部３２Ｂ２を挿入部３２Ｂ１から外した状態において、挿入部３２Ｂ１は網部本体３２Ａの長手方向における一端側に形成され、片部３２Ｂ２は網部本体３２Ａの長手方向における他端に形成されている。片部３２Ｂ２が挿入部３２Ｂ１に挿入されることで、網部３２は筒形状を保持できるようになっている。また、図３（ｃ）に示すように、網部３２の表面３２Ｓは、光学台カバー３０の外側の空間に面している外側面３２Ｓ１と、光学台カバー３０の内側の空間すなわち煙検出空間２４に面している内側面３２Ｓ２とを有している。
【００１７】
図１及び図３（ａ）に示すように、網部３２には、網部本体３２Ａに形成され、煙流入部１２Ａから筐体１０内に流入した煙を通過させる開口群３２Ｃを備えている。開口群３２Ｃは挿入部３２Ｂ１側から片部３２Ｂ２側にかけて形成されている。図３（ｂ）に示すように、開口群３２Ｃは複数の開口孔部Ｏｐを備えている。つまり、開口孔部Ｏｐの集合体が開口群３２Ｃに対応する構成である。開口孔部Ｏｐは、図３（ｃ）に示す外側面３２Ｓ１及び内側面３２Ｓ２を貫通している。
【００１８】
図３（ｄ）に示すように、開口孔部Ｏｐには、開口ｐｔを囲む環状の縁部Ｅｄを有している。開口ｐｔは煙流入部１２Ａ側と検煙部２０側とを連通している。縁部Ｅｄの形状は、円環形状ではなく、円環状に凹凸が形成された形状である。つまり、縁部Ｅｄは、網部３２の表面３２Ｓに沿って形成されている複数の凸状部３２Ｃ１と、網部３２の表面３２Ｓに沿って形成されている複数の凹状部３２Ｃ２とを有している。凸状部３２Ｃ１及び凹状部３２Ｃ２は表面３２Ｓに沿って形成されているので、凸状部３２Ｃ１の突出方向は表面３２Ｓに平行であり、凹状部３２Ｃ２の凹む方向も表面３２Ｓに平行である。縁部Ｅｄの周方向において、凸状部３２Ｃ１及び凹状部３２Ｃ２は交互に形成されている。つまり、凸状部３２Ｃ１の両端部には、凹状部３２Ｃ２がそれぞれ形成されている。ここで、凸状部３２Ｃ１の端部は縁部Ｅｄの周方向における端部である。
【００１９】
凸状部３２Ｃ１は開口ｐｔの中心領域Ｒｇ（図４参照）に向かって突出している。凸状部３２Ｃ１の突出幅が大きくなる程、開口ｐｔの面積が狭くなる。図３（ｅ）に示すように、凸状部３２Ｃ１は凸状部３２Ｃ１のうちで最も開口ｐｔの中心領域Ｒｇに近い頂部ｐｋ１を備えている。凹状部３２Ｃ２は開口ｐｔの中心領域Ｒｇから離れるように凹んでいる。凹状部３２Ｃ２が中心領域Ｒｇから離れる程、開口ｐｔの面積は広がる。凹状部３２Ｃ２では網部３２を通過する空気に渦が形成されやすくなるように弧状に形成されている。また、凹状部３２Ｃ２は凹状部３２Ｃ２のうちで最も開口ｐｔの中心領域Ｒｇから離れている頂部ｐｋ２を備えている。図３（ｅ）に示すように、縁部Ｅｄは頂部ｐｋ１及び頂部ｐｋ２を有している。また、縁部Ｅｄは頂部ｐｋ１と頂部ｐｋ２とを滑らかに接続する裾状部ｓｋを有している。縁部Ｅｄが裾状部ｓｋを有していることで、裾状部ｓｋに沿った空気の流れが形成されやすくなる。
【００２０】
実施の形態において、凸状部３２Ｃ１及び凹状部３２Ｃ２は８個ずつ設けられているので、頂部ｐｋ１及び頂部ｐｋ２の合計個数は１６個である。ここで、中心角は、頂部ｐｋ１と開口孔部Ｏｐの中心とを結ぶ線と、頂部ｐｋ２と開口孔部Ｏｐの中心とを結ぶ線とがなす角度で定義することができる。なお、凸状部３２Ｃ１及び凹状部３２Ｃ２の数はそれぞれ８個に限定されるものではない。また、凸状部３２Ｃ１の数と凹状部３２Ｃ２の数とは等しくなくてもよい。
【００２１】
図４は、網部３２の開口孔部Ｏｐに渦Ｓｗが形成される様子を模式的に示した図である。図４に示す中心領域Ｒｇは開口ｐｔの中心部に位置する領域である。図４において、中心領域Ｒｇは破線の円で模式的に示している。また、図４に示す周縁領域Ｒｄは凹状部３２Ｃ２側に位置する領域である。次に、図４及び上述の図１〜図３を参照して、煙検出装置１００の動作について説明する。火災が発生すると、煙を含む空気が筐体１０の煙流入部１２Ａを介して筐体１０内に流入する。筐体１０内に流入した煙は光学台カバー３０へ導かれる。そして、光学台カバー３０の周囲に至った煙は、網部３２の開口孔部Ｏｐを介して光学台カバー３０内の空間、すなわち煙検出空間２４に流入する。このとき、開口ｐｔの中心領域Ｒｇにおいて、煙を含む空気は開口孔部Ｏｐを通過して煙検出空間２４に流入する。また、図４に示すように、開口ｐｔの周縁領域Ｒｄにおいて、煙を含む空気ＦＬは渦Ｓｗを形成している。つまり、空気ＦＬが凹状部３２Ｃ２を通過する過程で凹状部３２Ｃ２に沿う流れが生じ、周縁領域Ｒｄでは渦Ｓｗが形成される。このため、周縁領域Ｒｄ付近の空気ＦＬに含まれる煙は渦Ｓｗによって開口孔部Ｏｐに引き込まれ、煙検出空間２４へ流入する。ここで、凹状部３２Ｃ２の弧の半径は、開口孔部Ｏｐの縁部Ｅｄの外接円を縁部とする開口孔部の半径と比較すると非常に小さくなっている。このため、凹状部３２Ｃ２では、空気の進路が急激に曲げられることになり、渦Ｓｗが形成されやすくなっている。煙検出空間２４に流入した煙は、ラビリンス２２を通り抜けて発光部２３Ａから出射された光を散乱させる。図示省略の受光部が散乱光を検出することで、煙検出装置１００は火災が発生しているとの判定をする。
【００２２】
空気中には煙だけでなく、埃等が含まれていることがある。ここで、開口孔部Ｏｐの直径を定義する。図４に示すように、開口孔部Ｏｐの最小直径Ｄｓ１は、向かい合う一対の凸状部３２Ｃ１の頂部ｐｋ１間の直線距離として定義する。また、開口孔部Ｏｐの最大直径Ｄｓ２は、向かい合う一対の凹状部３２Ｃ２の頂部ｐｋ２間の直線距離として定義する。このように、開口孔部Ｏｐの直径は、一定ではなく、最小直径Ｄｓ１から最大直径Ｄｓ２までの幅を持っている。このため、埃等が最小直径Ｄｓ１よりも大きければ、埃等は開口孔部Ｏｐを通過することができない。
【００２３】
次に、実施の形態の効果について説明する。網部３２の開口孔部Ｏｐの縁部Ｅｄは、網部３２の表面３２Ｓに沿って形成されている凸状部３２Ｃ１と、凸状部３２Ｃ１の端部に位置し、網部３２の表面３２Ｓに沿って形成されている凹状部３２Ｃ２とを有している。凸状部３２Ｃ１は中心領域Ｒｇに向かって突出しているので、開口孔部Ｏｐの直径は、図４の最小直径Ｄｓ１で説明したように、凸状部３２Ｃ１を通る位置において小さくなる。このため、開口孔部Ｏｐの縁部Ｅｄの外接円を縁部とする開口孔部の網部と比較して、開口率が低減するので、網部３２は埃等の煙検出空間２４への侵入を効果的に抑制することができる。なお、開口率とは、網部３２の単位面積当たりにおける開口ｐｔの面積を指す。
【００２４】
網部３２の開口孔部Ｏｐの縁部Ｅｄは凹状部３２Ｃ２を有しているので、煙を含む空気が開口ｐｔの周縁領域Ｒｄで渦Ｓｗを形成する。ここで、開口孔部Ｏｐの縁部Ｅｄの外接円を縁部とする開口孔部の弧の半径と比較して、凹状部３２Ｃ２の弧の半径は非常に小さくなっている。このため、凹状部３２Ｃ２では、空気の進路が急激に曲げられることになり、渦Ｓｗが形成されやすくなっている。したがって、空気ＦＬに含まれる煙は、渦Ｓｗによって開口孔部Ｏｐに引き込まれ、すみやかに煙検出空間２４へ流入する。つまり、網部３２は検煙部２０の煙検出空間２４への煙の流入性を向上させることができる。
【００２５】
このように、煙検出装置１００の網部３２は凸状部３２Ｃ１を有するので、検煙部２０の煙検出空間２４への埃等の侵入をより抑制することができる。また、煙検出装置１００の網部３２は凸状部３２Ｃ１を有するので、開口孔部Ｏｐの縁部Ｅｄの外接円を縁部とする開口孔部の網部と比較して、開口率を低減させることで埃等の侵入をより抑制することができると共に、凹状部３２Ｃ２により、周縁領域Ｒｄに渦を形成しやすくして煙をすみやかに煙検出空間２４へ流入させることができる。したがって、煙検出装置１００は、検煙部２０への埃等の侵入をより抑制すること、及び、検煙部２０への煙の流入性を向上させること（開口孔部Ｏｐが、開口孔部Ｏｐの縁部Ｅｄの外接円である場合と同等の流入性を維持すること）、を両立させることができる。
【００２６】
ここで、円形の開口孔部を網部に敷き詰めるように形成することで、網部の開口率を増大させることができる。一般的に、網部の開口率が増大すると網部における圧力損失が低減し、網部の煙の流入性が向上する。しかし、網部の開口率が増大すると埃等が網部の開口孔部を通過しやすくなる。特に、湯気は虫よりも更に小さく網部を通過してしまいやすいので、網部の開口率をむやみに増大させると湯気による火災の誤検出に繋がりやすい。実施の形態で説明した網部３２は凸状部３２Ｃ１を有しているので、上述のように、開口孔部Ｏｐの直径は凸状部３２Ｃ１を通る位置において小さくなる。このため、湯気が開口孔部Ｏｐに近づいてきたときにおいて、湯気が凸状部３２Ｃ１に衝突する可能性が高まる。したがって、湯気であっても、開口孔部Ｏｐを通過しにくくなっている。よって、煙検出装置１００は湯気による火災の誤検出を抑制することができる。
【００２７】
複数（実施の形態では８個）の凸状部３２Ｃ１及び複数（実施の形態では８個）の凹状部３２Ｃ２は、縁部Ｅｄの全域にわたって並んでいる。また、凸状部３２Ｃ１及び凹状部３２Ｃ２は、開口孔部Ｏｐの縁部Ｅｄの周方向において交互に並んでいる。このため、図４に示すように、周縁領域Ｒｄが縁部Ｅｄの周方向において均一に分布する。その結果、渦Ｓｗも、縁部Ｅｄの周方向において均一に分布することになる。なお、図４に示す例では、渦Ｓｗが縁部Ｅｄの周方向において８箇所に分布している。したがって、開口孔部Ｏｐの煙流入特性が縁部Ｅｄの周方向でばらついてしまうことを抑制することができる。
【００２８】
図５は、網部３２の開口群３２Ｃの変形例の説明図である。図５（ａ）は開口群３２Ｃの変形例１である開口群１３２Ｃを示し、図５（ｂ）は開口群１３２Ｃに含まれる開口孔部Ｏｐ１の拡大図である。開口孔部Ｏｐ１は環状の縁部Ｅｄ１を有しており、開口ｐｔ１は縁部Ｅｄ１に囲まれている。縁部Ｅｄ１は、４つの凸状部１３２Ｃ１と４つの凹状部１３２Ｃ２とを有している。隣接する凸状部１３２Ｃ１は開口孔部Ｏｐ１の中心に対して概ね９０度の角度をなしている。凸状部１３２Ｃ１の両端部には凹状部１３２Ｃ２がそれぞれ形成されている。凹状部１３２Ｃ２の外縁は略四角形状である。
【００２９】
図５（ｃ）は開口群３２Ｃの変形例２である開口群２３２Ｃを示し、図５（ｄ）は開口群２３２Ｃに含まれる開口孔部Ｏｐ２の拡大図である。開口孔部Ｏｐ２は略扇形状である。開口孔部Ｏｐ２は環状の縁部Ｅｄ２を有しており、開口ｐｔ２は縁部Ｅｄ２に囲まれている。縁部Ｅｄ２は、２つの凸状部２３２Ｃ１と、２つの凹状部２３２Ｃ２ａと、１つの凹状部２３２Ｃ２ｂとを有している。凹状部２３２Ｃ２ｂは２つの凸状部２３２Ｃ１の間に形成されている。凹状部２３２Ｃ２ｂは凹状部２３２Ｃ２ａよりも幅が小さくて鋭くなっている。
【００３０】
図５（ｅ）は開口群３２Ｃの変形例３である開口群３３２Ｃを示し、図５（ｆ）は開口群３３２Ｃに含まれる開口孔部Ｏｐ３の拡大図である。開口孔部Ｏｐ３も略扇形状である。開口孔部Ｏｐ３は環状の縁部Ｅｄ３を有しており、開口ｐｔ３は縁部Ｅｄ３に囲まれている。縁部Ｅｄ３は、２つの凸状部３３２Ｃ１と、２つの凹状部３３２Ｃ２ａと、１つの凹状部３３２Ｃ２ｂとを有している。凹状部３３２Ｃ２ｂは２つの凸状部３３２Ｃ１の間に形成されている。凹状部３３２Ｃ２ｂは、図５（ｄ）の開口孔部Ｏｐ２の凹状部２３２Ｃ２ｂほど鋭くなく、滑らかに形成されている。
【００３１】
図５（ｇ）は開口群３２Ｃの変形例４である開口群４３２Ｃを示し、図５（ｈ）は開口群４３２Ｃに含まれる開口孔部Ｏｐ４の拡大図である。開口群４３２Ｃは、変形例３で説明した開口孔部Ｏｐ３と、開口孔部Ｏｐ３を上下反転した形状を有する開口孔部Ｏｐ４とを有している。開口孔部Ｏｐ４は開口孔部Ｏｐ３を上下反転した形状であるため、図５（ｈ）において開口孔部Ｏｐ４の各構成要素は開口孔部Ｏｐ３の各構成要素と同様の符号を付している。
【００３２】
図５（ｉ）は開口群３２Ｃの変形例５である開口群５３２Ｃを示し、図５（ｊ）は開口群５３２Ｃに含まれる開口孔部Ｏｐ５の拡大図である。開口孔部Ｏｐ５は環状の縁部Ｅｄ５を有しており、開口ｐｔ５は縁部Ｅｄ５に囲まれている。縁部Ｅｄ５は、１つの凸状部５３２Ｃ１と２つの凹状部５３２Ｃ２とを有している。開口孔部Ｏｐ５の凸状部５３２Ｃ１は１つだけであるが、突出幅及び突出方向に直交する方向の幅が、大きめに設定されている。
【００３３】
変形例１〜５で説明した形態であっても、実施の形態で説明した効果と同様の効果を得ることができる。つまり、変形例１〜５についても、開口率を下げることで検煙部２０への埃等の侵入をより抑制すること、及び、開口率を下げても煙流入量が減らないように検煙部２０への煙の流入性を向上させること、を両立させることができる。また、図５（ｂ）に示すように、変形例１については、４個の凸状部１３２Ｃ１及び４個の凹状部１３２Ｃ２が縁部Ｅｄ１の全域にわたって並んでおり、また、凸状部１３２Ｃ１及び凹状部１３２Ｃ２が開口孔部Ｏｐ１の縁部Ｅｄ１の周方向において交互に並んでいる。このため、変形例１については、開口孔部Ｏｐ１の煙流入特性が縁部Ｅｄ１の周方向でばらついてしまうことを抑制する効果を得ることができる。
【符号の説明】
【００３４】
１０  筐体、１１  筐体上部、１２  筐体下部、１２Ａ  煙流入部、２０  検煙部、２１  光学台、２２  ラビリンス、２３  発光部収容部、２３Ａ  発光部、２４  煙検出空間、２５  受光部収容部、３０  光学台カバー、３１  蓋状部、３１Ａ  平板部、３１Ｂ  リブ、３２  網部、３２Ａ  網部本体、３２Ｂ１  挿入部、３２Ｂ２  片部、３２Ｃ  開口群、３２Ｃ１  凸状部、３２Ｃ２  凹状部、３２Ｓ  表面、３２Ｓ１  外側面、３２Ｓ２  内側面、１００  煙検出装置、１３２Ｃ  開口群、１３２Ｃ１  凸状部、１３２Ｃ２  凹状部、２００  天井、２３２Ｃ  開口群、２３２Ｃ１  凸状部、２３２Ｃ２ａ  凹状部、２３２Ｃ２ｂ  凹状部、３３２Ｃ  開口群、３３２Ｃ１  凸状部、３３２Ｃ２ａ  凹状部、３３２Ｃ２ｂ  凹状部、４３２Ｃ  開口群、５３２Ｃ  開口群、５３２Ｃ１  凸状部、５３２Ｃ２  凹状部、Ｄｓ１  最小直径、Ｄｓ２  最大直径、Ｅｄ  縁部、Ｅｄ１  縁部、Ｅｄ２  縁部、Ｅｄ３  縁部、Ｅｄ５  縁部、Ｏｐ  開口孔部、Ｏｐ１  開口孔部、Ｏｐ２  開口孔部、Ｏｐ３  開口孔部、Ｏｐ４  開口孔部、Ｏｐ５  開口孔部、Ｒｄ  周縁領域、Ｒｇ  中心領域、ｓｋ  裾状部、ｐｋ１  頂部、ｐｋ２  頂部、ｐｔ  開口、ｐｔ１  開口、ｐｔ２  開口、ｐｔ３  開口、ｐｔ５  開口。
【図１】
2019040296.tif 000003
【図２】
2019040296.tif 000004
【図３】
2019040296.tif 000005
【図４】
2019040296.tif 000006
【図５】
2019040296.tif 000007